(57)【特許請求の範囲】
【請求項１】
起立状態で載置されて床面または地面上の空間を仕切る用途に供される仕切り用支柱部材であって、上下方向に延びる支柱本体と、この支柱本体の下端部に一体に設けられた台座と、上記支柱本体の上端部に設けられた、仕切り空間近傍の環境を快適なものにする機能部材とを備えて構成され、
上記支柱本体は、当該支柱本体と同心で固定された突起を有し、上記機能部材は、弾性変形が可能な柔軟材料によって形成された、支柱本体の頂部に同心で外嵌される緩衝部材によって形成され、上記緩衝部材は、支柱本体が横転した状態で上記突起がフロアに干渉しないように径寸法が設定されていることを特徴とする仕切り用支柱部材。
【発明の詳細な説明】
【０００１】
【発明の属する技術分野】
本発明は、銀行やホテル等のフロアや、バスの停留所等の周りに立設される仕切り用支柱部材に関するものである。
【０００２】
【従来の技術】
従来、図４に示すような、銀行やホテル等のフロアＦ等に配置される仕切り用支柱部材１００が知られている。この仕切り用支柱部材１００は、円盤状の台座１０１と、この台座１０１の中央部から一体に立設され支柱本体１０２と、この支柱本体１０２の上部から径方向に突設された鈎形の係止突起１０３とを備えて構成されている。かかる仕切り用支柱部材１００は、所定の目的で使用される空間（例えば喫煙コーナーや待合いコーナー等あるいは順番や人員の整列を促す空間等）を確保するための仕切り用として用いられるものであり、複数本がフロアＦ上に載置され、それぞれの係止突起１０３間に仕切りロープ１０４が張設されることによりその空間が他と区分されるようになっている。
【０００３】
【発明が解決しようとする課題】
ところで、上記のような従来の仕切り用支柱部材１００によって仕切られた空間には所定の目的を持った人が集合しているのが通常であるが、支柱本体１０２は単に金属製の円柱体によって構成されているだけであり、極めて殺風景であるとともに、例えば仕切られた空間が喫煙コーナーである場合は喫煙者が集合して喫煙しているため周りの空気が煙草の煙で汚染されるという不都合が存在し、これの改善が嘱望されていた。
【０００４】
また、仕切り用支柱部材１００に何かが衝突して横転したときなど、支柱本体１０２の頂部や係止突起１０３がフロアに衝突して大きな音を出し、周囲の人達に不愉快な思いをさせるばかりか、フロア面や支柱本体１０２の頂部、台座１０１と支柱本体１０２との接合部分、さらには係止突起１０３が損傷することがあるという問題点を有していた。
【０００５】
本発明は、上記のような状況に鑑みてなされたものであり、仕切られた空間内にいる人達やその周りにいる人達に不愉快な思いをさせないようにすることができる仕切り用支柱部材を提供することを目的としている。
【０００６】
【課題を解決するための手段】
本発明は、起立状態で載置されて床面または地面上の空間を仕切る用途に供される仕切り用支柱部材であって、上下方向に延びる支柱本体と、この支柱本体の下端部に一体に設けられた台座と、上記支柱本体の上端部に設けられた、仕切り空間近傍の環境を快適なものにする機能部材とを備えて構成され、上記支柱本体は、当該支柱本体と同心で固定された突起を有し、上記機能部材は、弾性変形が可能な柔軟材料によって形成された、支柱本体の頂部に同心で外嵌される緩衝部材によって形成され、上記緩衝部材は、支柱本体が横転した状態で上記突起がフロアに干渉しないように径寸法が設定されていることを特徴とするものである。
【０００７】
この発明によれば、所定のフロア等に複数本の仕切り用支柱部材を配設するとともに、各仕切り用支柱部材間に仕切り用ロープ等を張設することにより、所定の目的（例えば喫煙コーナーや受付待ちの行列コーナー等）に使用される仕切り空間が得られる。そして、支柱本体の上端部には、仕切り空間近傍が快適になる機能部材が設けられているため、この機能部材の作用で仕切り空間やその周りにいる人達が不快に感じるようなことが起こらないばかりか、快適な気持ちになることができる。
【０００８】
そして、仕切り用支柱部材が何らかの原因で横転しても、支柱本体の頂部に設けられた柔軟材料製の緩衝部材がフロアに衝突するため、この緩衝部材の弾性変形によって衝突の衝撃が和らげられ、これによって仕切り空間にいる人達が不愉快な思いをするような不都合が回避される。
【０００９】
【発明の実施の形態】
図１は、本発明に係る仕切り用の支柱部材の参考例を示す斜視図であり、（イ）は分解斜視図、（ロ）は組み立て斜視図である。また、図２は、図１の断面図である。これらの図に示すように、仕切り用の支柱部材１０は、フロアＦ上に載置される台座２０と、この台座２０から立設される支柱本体３０と、この支柱本体３０の頂部に着脱自在に装着される機能部材としての環境快適化部材である芳香剤９０を装填する快適化部材装填構造（装着部）４０と、この快適化部材装填構造４０を覆い隠すように支柱本体３０の頂部に外嵌される蓋部材５０とを備えた基本構成を有している。
【００１０】
上記台座２０は、本参考例においては、所定の肉厚を有する金属製の偏平な円錐台状に形成され、周面が径方向の外方に向けて先下がりに傾斜した裾部２１と、この裾部２１の頂部に形成された上面が平らな円形頂部２２とからなっている。円形頂部２２の中心位置にはボルト挿通孔２３が穿設されている。このボルト挿通孔２３は、支柱本体３０に内装固定される後述のボルトＢを挿通するためのものである。
【００１１】
上記支柱本体３０は、内部が空洞の筒状体によって形成されているとともに、外径寸法が台座２０の円形頂部２２の径寸法より若干小さ目に寸法設定され、これによってはみ出すことなく円形頂部２２上に載置し得るようになっている。かかる支柱本体３０は、その下部に内装されたボルト支持板３１を有している。このボルト支持板３１は、中心位置に貫通孔を有し、この貫通孔にボルトＢを挿通した状態でその頭部が溶接止めされている。かかるボルト付きのボルト支持板３１は、ボルトＢの先端部が支柱本体３０から若干（具体的には台座２０の厚み寸法より若干長め）外部に突出した状態で支柱本体３０の内周面に溶接止めされている。
【００１２】
従って、ボルトＢの支柱本体３０から外部に突出した先端部を台座２０のボルト挿通孔２３に嵌入し、さらにボルト挿通孔２３から外部に突出した部分にナットＮを螺着して締結することにより、支柱本体３０が台座２０に一体に結合されるようになっている。
【００１３】
また、支柱本体３０の上部位置には、周面から互いに反対方向に突出した一対の鈎形部材３２が溶接止めで固定されている。この鈎形部材３２は、図略の仕切り用ロープを係止するためのものであり、先端が上方に向かうように形状設定されている。そして、仕切り用ロープは、上記鈎形部材３２の上方に向かう部分に掛けられて結着されることによりその端部が支柱本体３０に結合されるようになっている。
【００１４】
上記快適化部材装填構造４０は、図２に示すように、支柱本体３０に摺接状態で嵌入され得る外径寸法を備えた、芳香剤９０を装填するための有底でかつ上面に開口を有するの装填容器（装着部）４１と、この装填容器４１の底部に配設されたニクロム線や発熱素子等からなる通電発熱体４２と、装填容器４１内の通電発熱体４２が配設されている部分と芳香剤９０を装填する空間とを仕切る仕切り円盤４３とを備えて構成されている。
【００１５】
かかる装填容器４１の内周面には、通電発熱体４２より若干上方位置が上面になるように形成された環状突起４４が設けられ、仕切り円盤４３は、装填容器４１内でこの環状突起４４に支持されるようになっている。そして、仕切り円盤４３が装填容器４１内に装着された状態で、この仕切り円盤４３上に芳香剤９０が載置される。
【００１６】
また、支柱本体３０の下端部からは先端に接続端子２５を備えたリード線２４が引き出され、接続端子２５を所定の商用電源に接続することにより通電発熱体４２に通電され、これによる通電発熱体４２の発熱で装填容器４１内に装填された芳香剤９０を加熱し得るようになっている。
【００１７】
そして、参考例においては、芳香剤９０として、乾燥した香木や香草等を原料としたアロマテラピー（芳香剤療法）に採用されるものが適用される。かかるアロマテラピー用の芳香剤９０は、通常、常温のままでは芳香を発しないため、かかる芳香剤を装填容器４１内に装填した状態で通電発熱体４２に通電して加熱し、これによって芳香剤９０から芳香成分を揮発させるようにしている。
【００１８】
上記蓋部材５０は、参考例においては、円筒状の蓋部材本体５１と、この蓋部材本体５１の上縁部から上方に向かって延設された半円球状を呈したドーム状天板５２とからなっている。蓋部材本体５１の下端部には、内径寸法が支柱本体３０の外径寸法より僅かに大きく径設定されているとともに、この部分より上方位置の内径寸法が支柱本体３０の外径寸法より若干小さ目に径設定され、これらによって蓋部材本体５１の下部開口位置の内周面側に環状段差部５１ａが形成されている。
【００１９】
従って、蓋部材本体５１を支柱本体３０の頂部に外嵌することによって、環状段差部５１ａの上面が支柱本体３０の上縁部に当止した状態で蓋部材５０が支柱本体３０に着脱自在に装着されることになる。
【００２０】
上記ドーム状天板５２には、所定個数の通気孔（貫通孔）５２ａが穿設されている。従って、装填容器４１内に芳香剤９０を装填した状態で蓋部材５０を支柱本体３０の頂部に装着し、通電発熱体４２への通電により芳香剤９０を加熱することによって揮散した芳香剤９０からの香気は、通気孔５２ａを通って外部に揮散され、これによって外気が芳香に満ちることになる。
【００２１】
参考例の支柱部材１０によれば、例えば接客用の待合室等のフロアＦに複数本の支柱部材１０を配設するとともに、各支柱部材１０間に仕切り用ロープ等を張設することにより、喫煙コーナー等の所定の目的に使用される仕切り空間が形成される。そして、支柱本体３０の上端部には、仕切り空間近傍が快適になるように構成された快適化部材装填構造４０としての芳香剤９０を装填する装填容器４１が設けられているため、この装填容器４１に装填された芳香剤９０のアロマテラピー作用で仕切り空間にいる人達を快適な気分にすることができる。
【００２２】
図３は、本発明に係る仕切り用の支柱部材の実施形態を示す図であり、（イ）は支柱部材１０ａが起立した状態、（ロ）は支柱部材１０ａが転倒した状態をそれぞれ示しているとともに、（ハ）は支柱部材１０ａの頂部の部分拡大図である。実施形態の支柱部材１０ａは、上記同様の台座２０と、この台座２０に立設される支柱本体３０とを備えている点で参考例のものと同様であるが、快適化部材装填構造４０として、装填容器４１に代えて弾性変形可能な柔軟材料によって形成された球状の緩衝部材６０が採用されている点でまず参考例のものと相違している。
【００２３】
また、支柱本体３０の上部位置には、上記鈎形部材３２に代えてフランジ（環状突起）３３が設けられている点で参考例のものと相違している。フランジ３３は、図３の（ハ）に示すように、環状体３３ａと、この環状体３３ａの内周面および支柱本体３０間に架設された径方向に延びる架設片３３ｂとを備えて形成されている。かかるフランジ３３の環状体３３ａにロープ部材３４の先端に付設されたフック３４ａが係止されるようになっている。
【００２４】
そして、上記緩衝部材６０は、支柱本体３０と同心で凹設された外嵌孔６１を有しており、この外嵌孔６１が、外周面に接着剤の塗布された支柱本体３０の頂部に摺接状態で外嵌されることにより、支柱本体３０に固定されるようになっている。かかる緩衝部材６０は、径寸法がフランジ３３の径寸法と同一であるかフランジ３３の径寸法より若干大き目に寸法設定されている。
【００２５】
かかる実施形態の支柱部材１０ａによれば、支柱部材１０が何らかの原因で横転しても、支柱本体３０の頂部に設けられた柔軟材料製の緩衝部材６０がフロアＦに衝突し、フランジ３３がフロアＦに衝突するのが回避されるため、フランジ３３がフロアＦに衝突して大きな音をたてることが回避されるとともに、フロアＦに衝突した緩衝部材６０は弾性変形することによって衝突の衝撃が和らげられ、これによって仕切り空間にいる人達が不愉快な思いをするような不都合を回避することができるばかりか、床面やフランジ３３および支柱本体３０間等の接合部分の損傷を確実に防止することができる。
【００２６】
（１）上記の参考例においては、快適化部材装填構造４０の装填容器４１は、内装されたアロマテラピー用の芳香剤９０を加熱するための通電発熱体４２が設けられているが、芳香剤９０がアロマテラピー用のものではなく、常温で芳香を発する通常の芳香剤を使用する場合には、通電発熱体４２の設けられていない有底の筒状態で装填容器とすることができる。
【００２７】
（２）上記の参考例において、快適化部材装填構造４０として通電発熱体４２の設けられていない装填容器を使用するときは、上記通常の芳香剤に代えて脱臭剤や消臭剤を装填してもよい。脱臭剤としては代表的なものとして活性炭を上げることができる。脱臭剤を装填した場合は、外部の臭気が吸着されて快適な空間が実現する。また、消臭剤を使用したときは、消臭剤からの所定の揮発成分の揮散で外部の臭気がマスキングされ、臭いが気にならなくなる。
【００２８】
（３）上記の参考例において、快適化部材装填構造４０として、空気清浄機を採用してもよい。この場合、空気清浄機のケーシングとして外観形状が蓋部材５０と同様のものを採用し、このケーシングに駆動モータ、吸引ファンおよびフィルターを内装したものが用いられる。快適化部材装填構造４０として空気清浄機を採用することにより、支柱部材１０が配設された空間の空気が空気清浄機を介して強制循環されるため、仕切り空間近傍の空気をより確実に清浄化することができる。
【００２９】
【発明の効果】
本発明によれば、支柱部材を、上下方向に延びる支柱本体と、この支柱本体の下端部に一体に設けられた台座と、支柱本体の上端部に設けられた、仕切り空間近傍の環境を快適なものにする機能部材とを備えて構成したため、機能部材の作用で仕切り空間にいる人達が不快に感じるようなことが起こらないばかりか、快適な気持ちになることができる。
【００３０】
そして、機能部材を、弾性変形が可能な柔軟材料によって形成された、支柱本体の頂部に同心で外嵌される緩衝部材によって形成し、この緩衝部材の径寸法を、支柱本体が横転した状態で上記突起がフロアに干渉しないように設定したため、仕切り用支柱部材が何らかの原因で横転しても、支柱本体の頂部に設けられた柔軟材料製の緩衝部材がフロアに衝突し、この緩衝部材の弾性変形によって衝突の衝撃が和らげられ、これによって仕切り空間にいる人達が不愉快な思いをするような不都合を回避することができる。
【図面の簡単な説明】
【図１】  本発明に係る仕切り用の支柱部材の参考例を示す斜視図であり、（イ）は分解斜視図、（ロ）は組み立て斜視図である。
【図２】  図１に示す支柱部材の断面図である。
【図３】  本発明に係る仕切り用の支柱部材の実施形態を示す一部切欠き側面図であり、（イ）は支柱部材が起立した状態、（ロ）は支柱部材が転倒した状態をそれぞれ示している。
【図４】  従来の仕切り用支柱部材を例示する斜視図である。
【符号の説明】
１０，１０ａ  支柱部材    ２０  台座
２１  裾部                ２２  円形頂部
２３  ボルト挿通孔        ２４  リード線
２５  接続端子            ３０  支柱本体
３１  ボルト支持板        ３２  鈎形部材
３３  フランジ            ３３ａ  環状体
３３ｂ  架設片            ３４  ロープ部材
３４ａ  フック
４０  快適化部材装填構造
４１  装填容器            ４２  通電発熱体
４３  仕切り円盤          ４４  環状突起
５０  蓋部材              ５１  蓋部材本体
５１ａ  環状段差部        ５２  ドーム状天板
５２ａ  通気孔            ６０  緩衝部材
６１  外嵌孔              ９０  芳香剤
Ｆ  フロア                Ｎ  ナット
【図１】
0004695273.tif 000002
【図２】
0004695273.tif 000003
【図３】
0004695273.tif 000004
【図４】
0004695273.tif 000005